(57)【要約】【課題】テレビＣＭの広告効果を高めることができる情報配信システムを提供する。【解決手段】放送局１０Ａは、テレビＣＭとテレビＣＭを出稿する広告主によって運営される広告主サーバとの対応付けを管理する放送局サーバ２０のアドレスと、テレビＣＭを識別するＣＭ識別情報とを含んで構成されるＱＲコードを放送する。テレビ視聴者が所持する携帯端末６０は、テレビＣＭと共にテレビ画面上に表示されるＱＲコードを読み取り、ＱＲコードに含まれるアドレスに応じて、放送局サーバ２０にアクセスする。放送局サーバ２０は、携帯端末６０からのアクセスを受け付けた場合に、該アクセスに含まれるＣＭ識別情報に基づいて該アクセスを広告主サーバ３０に転送する。広告主サーバ３０は、放送局サーバ２０から転送されたアクセスを受け付けた場合に、視聴者に特典を与えるための特典情報を携帯端末６０に配信する。【選択図】図１
2011101307.tif 000002
【特許請求の範囲】
【請求項１】
テレビＣＭを含むテレビ番組を放送する放送局と、
前記テレビＣＭを出稿する広告主によって運営される広告主サーバと、
前記放送局によって運営され、前記テレビＣＭと前記広告主サーバとの対応付けを管理する放送局サーバと、
前記テレビ番組の視聴者が所持する携帯端末とを有し、
前記放送局は、前記放送局サーバのアドレスと前記テレビＣＭを識別するＣＭ識別情報とを含んで構成される画像情報を前記テレビＣＭと共に放送し、
前記携帯端末は、前記テレビＣＭと共にテレビ画面上に表示される前記画像情報を読み取り、前記画像情報に含まれる前記アドレスに応じて前記放送局サーバにアクセスし、
前記放送局サーバは、前記携帯端末からのアクセスを受け付けた場合に、該アクセスに含まれる前記ＣＭ識別情報に基づいて該アクセスを前記広告主サーバに転送し、
前記広告主サーバは、前記放送局サーバから転送されたアクセスを受け付けた場合に、前記視聴者に特典を与えるための特典情報を前記携帯端末に配信することを特徴とする情報配信システム。
【請求項２】
テレビＣＭを含むテレビ番組を放送する放送局と、
前記テレビＣＭを出稿する広告主によって運営される広告主サーバと、
前記テレビ番組の視聴者が所持する携帯端末とを有し、
前記放送局は、前記広告主サーバのアドレスを含んで構成される画像情報が付加された前記テレビＣＭを放送し、
前記携帯端末は、前記テレビＣＭと共にテレビ画面上に表示される前記画像情報を読み取り、前記画像情報に含まれる前記アドレスに応じて前記広告主サーバにアクセスし、
前記広告主サーバは、前記携帯端末からのアクセスを受け付けた場合に、前記視聴者に特典を与えるための特典情報を前記携帯端末に配信することを特徴とする情報配信システム。
【請求項３】
前記放送局は、前記テレビＣＭを含む前記テレビ番組の放送時間内に限り前記画像情報を表示させるように前記画像情報を放送することを特徴とする請求項１又は２に記載の情報配信システム。
【請求項４】
前記放送局サーバは、前記テレビＣＭを含む前記テレビ番組の放送時間内に限り前記携帯端末からのアクセスを前記広告主サーバに転送することを特徴とする請求項１に記載の情報配信システム。
【請求項５】
前記広告主サーバは、前記テレビＣＭを含む前記テレビ番組の放送時間内に限り特典情報を前記携帯端末に配信することを特徴とする請求項１又は２に記載の情報配信システム。
【請求項６】
前記広告主サーバ又は前記放送局サーバは、前記携帯端末からのアクセスを受け付けた場合に、前記携帯端末の位置を示す位置情報を取得し、
前記広告主サーバは、取得された前記位置情報に応じて、前記携帯端末の位置に関連する前記特典情報を前記携帯端末に配信することを特徴とする請求項１〜５の何れか一項に記載の情報配信システム。
【請求項７】
前記広告主サーバは、取得された前記位置情報に応じて、前記携帯端末の位置に関連する前記特典情報を前記携帯端末に配信するとともに、前記携帯端末の位置に関連する情報であって前記広告主の広告に係る広告情報を前記携帯端末に配信することを特徴とする請求項６に記載の情報配信システム。
【請求項８】
前記テレビＣＭが表示される際のテレビＣＭ映像のアスペクト比が所定の放送方式で規定されるテレビ画面のアスペクト比と異なる場合、前記放送局は、テレビ画面上で前記テレビＣＭ映像が表示されない領域で前記画像情報を表示させるように前記画像情報を放送することを特徴とする請求項１〜７の何れか一項に記載の情報配信システム。
【請求項９】
前記放送局は、前記画像情報を放送する旨の告知情報を事前に放送することを特徴とする請求項１〜８の何れか一項に記載の情報配信システム。
【請求項１０】
前記放送局は、データ放送を利用して前記画像情報を放送することを特徴とする請求項１〜９の何れか一項に記載の情報配信システム。
【請求項１１】
テレビＣＭを含むテレビ番組を放送する放送局が、前記放送局によって運営され、前記テレビＣＭと前記テレビＣＭを出稿する広告主によって運営される広告主サーバとの対応付けを管理する放送局サーバのアドレスと、前記テレビＣＭを識別するＣＭ識別情報とを含んで構成される画像情報を前記テレビＣＭと共に放送する工程と、
前記テレビ番組の視聴者が所持する携帯端末が、前記テレビＣＭと共にテレビ画面上に表示される前記画像情報を読み取り、前記画像情報に含まれる前記アドレスに応じて前記放送局サーバにアクセスする工程と、
前記放送局サーバが、前記携帯端末からのアクセスを受け付けた場合に、該アクセスに含まれる前記ＣＭ識別情報に基づいて該アクセスを前記広告主サーバに転送する工程と、
前記広告主サーバが、前記放送局サーバから転送されたアクセスを受け付けた場合に、前記視聴者に特典を与えるための特典情報を前記携帯端末に配信する工程と
を有することを特徴とする情報配信方法。
【請求項１２】
テレビＣＭを含むテレビ番組を放送する放送局が、前記テレビＣＭを出稿する広告主によって運営される広告主サーバのアドレスを含んで構成される画像情報が付加された前記テレビＣＭを放送する工程と、
前記テレビ番組の視聴者が所持する携帯端末が、前記テレビＣＭと共にテレビ画面上に表示される前記画像情報を読み取り、前記画像情報に含まれる前記アドレスに応じて、前記広告主サーバにアクセスする工程と、
前記広告主サーバが、前記携帯端末からのアクセスを受け付けた場合に、前記視聴者に特典を与えるための特典情報を前記携帯端末に配信する工程と
を有することを特徴とする情報配信方法。
【発明の詳細な説明】
【技術分野】
【０００１】
本発明は、テレビ視聴者の携帯端末に情報を配信する情報配信システム及び情報配信方法に関する。
【背景技術】
【０００２】
情報通信技術の発達により、個人のＰＣや携帯端末からインターネット上のサーバにアクセスして各種の情報を取得することが行われている。近年では、雑誌や広告等の紙媒体に印刷された、インターネット上のサーバのアドレスを示す画像情報を携帯端末が読み取り、当該サーバにアクセスする手法が広く利用されている。画像情報としては、二次元コードの一種であるＱＲコードが使用される。
【０００３】
このような技術を放送分野に応用し、テレビＣＭにＱＲコードを付加することで、テレビ視聴者の利便性を向上させる手法が提案されている（特許文献１参照）。具体的には、特許文献１に記載の技術では、テレビＣＭに出演するアーティストに関する情報を配信するサーバ装置のアドレスを示すＱＲコードを当該テレビＣＭに付加しており、当該アーティストに興味を持ったテレビ視聴者は、テレビ画面上のＱＲコードを携帯端末により読み取り、サーバ装置にアクセスし、当該アーティストに関する情報を取得する。
【先行技術文献】
【特許文献】
【０００４】
【特許文献１】特開２００５−３３３４０２号公報
【発明の概要】
【発明が解決しようとする課題】
【０００５】
ところで、近年では、ＨＤＤレコーダ等の大容量の録画装置の登場に伴い、テレビ番組をリアルタイムに視聴（以下、リアルタイム視聴）するのではなく、録画されたテレビ番組を視聴（以下、タイムシフト視聴）するテレビ視聴者の割合が増加しつつある。タイムシフト視聴においてはテレビＣＭを自由にスキップし得ることから、タイムシフト視聴の普及が進むと、テレビＣＭの視聴頻度が少なくなり、テレビＣＭの広告効果が低下すると考えられる。
【０００６】
ここで、特許文献１に記載の手法では、テレビ視聴者の利便性を向上させることができるものの、テレビＣＭを積極的にテレビ視聴者に視聴させる仕組みにはなっていないため、テレビＣＭの広告効果を高めることができないという問題があった。
【０００７】
そこで、本発明は、テレビＣＭの広告効果を高めることができる情報配信システム及び情報配信方法を提供することを目的とする。
【課題を解決するための手段】
【０００８】
上述した課題を解決するために、本発明は以下のような特徴を有している。まず、本発明の第１の特徴は、テレビＣＭを含むテレビ番組を放送する放送局（放送局１０Ａ）と、前記テレビＣＭを出稿する広告主によって運営される広告主サーバ（広告主サーバ３０）と、前記放送局によって運営され、前記テレビＣＭと前記広告主サーバとの対応付けを管理する放送局サーバ（放送局サーバ２０）と、前記テレビ番組の視聴者が所持する携帯端末（携帯端末６０）とを有し、前記放送局は、前記放送局サーバのアドレスと前記テレビＣＭを識別するＣＭ識別情報とを含んで構成される画像情報（例えばＱＲコード）を前記テレビＣＭと共に放送し、前記携帯端末は、前記テレビＣＭと共にテレビ画面上に表示される前記画像情報を読み取り、前記画像情報に含まれる前記アドレスに応じて前記放送局サーバにアクセスし、前記放送局サーバは、前記携帯端末からのアクセスを受け付けた場合に、該アクセスに含まれる前記ＣＭ識別情報に基づいて該アクセスを前記広告主サーバに転送し、前記広告主サーバは、前記放送局サーバから転送されたアクセスを受け付けた場合に、前記視聴者に特典を与えるための特典情報を前記携帯端末に配信する情報配信システム（情報配信システム１Ａ）であることを要旨とする。
【０００９】
本発明の第２の特徴は、テレビＣＭを含むテレビ番組を放送する放送局（放送局１０Ｂ）と、前記テレビＣＭを出稿する広告主によって運営される広告主サーバ（広告主サーバ３０）と、前記テレビ番組の視聴者が所持する携帯端末（携帯端末６０）とを有し、前記放送局は、前記広告主サーバのアドレスを含んで構成される画像情報が付加された前記テレビＣＭを放送し、前記携帯端末は、前記テレビＣＭと共にテレビ画面上に表示される前記画像情報を読み取り、前記画像情報に含まれる前記アドレスに応じて前記広告主サーバにアクセスし、前記広告主サーバは、前記携帯端末からのアクセスを受け付けた場合に、前記視聴者に特典を与えるための特典情報を前記携帯端末に配信する情報配信システム（情報配信システム１Ｂ）であることを要旨とする。
【００１０】
本発明の第１、第２の特徴によれば、視聴者は、所望の特典情報を取得して広告主から直接的な利益を得ることが可能になるため、テレビＣＭを積極的にテレビ視聴者に視聴させることが可能になり、テレビＣＭの広告効果を高めることができる。また、第１の特徴では、情報配信に係る一連の処理を放送局側で制御できる。
【００１１】
本発明の第３の特徴は、本発明の第１又は第２の特徴に係り、前記放送局は、前記テレビＣＭを含む前記テレビ番組の放送時間内に限り前記画像情報を表示させるように前記画像情報を放送することを要旨とする。
【００１２】
本発明の第４の特徴は、本発明の第１の特徴に係り、前記放送局サーバは、前記テレビＣＭを含む前記テレビ番組の放送時間内に限り前記携帯端末からのアクセスを前記広告主サーバに転送することを要旨とする。
【００１３】
本発明の第５の特徴は、本発明の第１又は２の特徴に係り、前記広告主サーバは、前記テレビＣＭを含む前記テレビ番組の放送時間内に限り特典情報を前記携帯端末に配信することを要旨とする。
【００１４】
本発明の第３、第４、第５の特徴によれば、特典情報の取得を望む視聴者は、当該番組コンテンツをタイムシフト視聴ではなくリアルタイム視聴する必要があるため、リアルタイム視聴によってＣＭが視聴され易くなり、テレビＣＭの広告効果をさらに高めることができる。
【００１５】
本発明の第６の特徴は、本発明の第１〜第５の何れかの特徴に係り、前記広告主サーバ又は前記放送局サーバは、前記携帯端末からのアクセスを受け付けた場合に、前記携帯端末の位置を示す位置情報を取得し、前記広告主サーバは、取得された前記位置情報に応じて、前記携帯端末の位置に関連する前記特典情報を前記携帯端末に配信することを要旨とする。
【００１６】
本発明の第６の特徴によれば、携帯端末の位置に応じた特典情報を配信できるため、視聴者に適した特典情報（例えば、周辺地域の店舗に関する特典情報）を配信可能になり、視聴者の利便性を向上させることができる。
【００１７】
本発明の第７の特徴は、本発明の第６の特徴に係り、前記広告主サーバは、取得された前記位置情報に応じて、前記携帯端末の位置に関連する前記特典情報を前記携帯端末に配信するとともに、前記携帯端末の位置に関連する情報であって前記広告主の広告に係る広告情報を前記携帯端末に配信することを要旨とする。
【００１８】
本発明の第７の特徴によれば、携帯端末の位置に応じた広告情報を配信できるため、視聴者に適した広告情報（例えば、周辺地域の店舗に関する広告情報）を配信でき、広告効果を向上させることができる。
【００１９】
本発明の第８の特徴は、本発明の第１〜第７の何れかの特徴に係り、前記テレビＣＭが表示される際のテレビＣＭ映像のアスペクト比が所定の放送方式（例えば地上デジタル放送）で規定されるテレビ画面のアスペクト比と異なる場合、前記放送局は、テレビ画面上で前記テレビＣＭ映像が表示されない領域で前記画像情報を表示させるように前記画像情報を放送することを要旨とする。
【００２０】
本発明の第８の特徴によれば、表示画面を無駄に占有している領域（例えばサイドパネル領域）を有効活用し、ＣＭ映像に悪影響を与えることなく画像情報を表示可能になる。特に、地上デジタル放送のアスペクト比に対し、ＣＭ映像のアスペクト比が異なっていることが多いため、地上デジタル放送のアスペクト比を活かすことで、地上デジタル放送の普及促進に寄与することができる。
【００２１】
本発明の第９の特徴は、本発明の第１〜第８の何れかの特徴に係り、前記放送局は、前記画像情報を放送する旨の告知情報を事前に放送することを要旨とする。
【００２２】
本発明の第９の特徴によれば、視聴者は、画像情報を携帯端末により読み込むための準備を行うことができる。一般的にＣＭ区間は、１５秒〜３０秒程度の短い時間であるため、画像情報が突然表示されたのでは、画像情報の読み込みを行う作業が間に合わないためである。
【００２３】
本発明の第１０の特徴は、本発明の第１〜第９の何れかの特徴に係り、前記放送局は、データ放送を利用して前記画像情報を放送することを要旨とする。
【００２４】
本発明の第１０の特徴によれば、テレビＣＭに予め画像情報を組み込んでおく必要がないため、画像情報の変更等にも即座に対応可能になる。
【００２５】
本発明の第１１の特徴は、テレビＣＭを含むテレビ番組を放送する放送局が、前記放送局によって運営され、前記テレビＣＭと前記テレビＣＭを出稿する広告主によって運営される広告主サーバとの対応付けを管理する放送局サーバのアドレスと、前記テレビＣＭを識別するＣＭ識別情報とを含んで構成される画像情報を前記テレビＣＭと共に放送する工程と、前記テレビ番組の視聴者が所持する携帯端末が、前記テレビＣＭと共にテレビ画面上に表示される前記画像情報を読み取り、前記画像情報に含まれる前記アドレスに応じて前記放送局サーバにアクセスする工程と、前記放送局サーバが、前記携帯端末からのアクセスを受け付けた場合に、該アクセスに含まれる前記ＣＭ識別情報に基づいて該アクセスを前記広告主サーバに転送する工程と、前記広告主サーバが、前記放送局サーバから転送されたアクセスを受け付けた場合に、前記視聴者に特典を与えるための特典情報を前記携帯端末に配信する工程とを有する情報配信方法であることを要旨とする。
【００２６】
本発明の第１２の特徴は、テレビＣＭを含むテレビ番組を放送する放送局が、前記テレビＣＭを出稿する広告主によって運営される広告主サーバのアドレスを含んで構成される画像情報が付加された前記テレビＣＭを放送する工程と、前記テレビ番組の視聴者が所持する携帯端末が、前記テレビＣＭと共にテレビ画面上に表示される前記画像情報を読み取り、前記画像情報に含まれる前記アドレスに応じて、前記広告主サーバにアクセスする工程と、前記広告主サーバが、前記携帯端末からのアクセスを受け付けた場合に、前記視聴者に特典を与えるための特典情報を前記携帯端末に配信する工程とを有する情報配信方法であることを要旨とする。
【発明の効果】
【００２７】
本発明によれば、テレビＣＭの広告効果を高めることができる情報配信システム及び情報配信方法を提供できる。
【図面の簡単な説明】
【００２８】
【図１】本発明の第１実施形態に係る情報配信システムの概略構成図である。
【図２】本発明の第１実施形態に係る放送局の構成を示す機能ブロック図である。
【図３】本発明の第１実施形態に係る放送局サーバの構成を示す機能ブロック図である。
【図４】本発明の第１実施形態に係る広告主サーバの構成を示す機能ブロック図である。
【図５】本発明の第１実施形態に係る情報配信システムの動作を示すシーケンス図である。
【図６】本発明の第１実施形態に係るテレビ受像機の表示画面の一例を示す図である。
【図７】本発明の第１実施形態に係る携帯端末の表示画面の一例を示す図である。
【図８】本発明の第２実施形態に係る情報配信システムの概略構成図である。
【図９】本発明の第２実施形態に係る放送局の構成を示すブロック図である。
【図１０】本発明の第２実施形態に係る情報配信システムの動作を示すシーケンス図である。
【発明を実施するための形態】
【００２９】
次に、図面を参照して、本発明の第１実施形態、第２実施形態及びその他の実施形態を説明する。以下の実施形態における図面の記載において、同一又は類似の部分には同一又は類似の符号を付している。
【００３０】
（１）第１実施形態
第１実施形態に係る情報配信システムについて、（１．１）情報配信システムの概略構成、（１．２）情報配信システムの詳細構成、（１．３）情報配信システムの動作、（１．４）第１実施形態の効果の順に説明する。
【００３１】
（１．１）情報配信システムの概略構成
図１は、第１実施形態に係る情報配信システム１Ａの概略構成図である。図１に示すように、情報配信システム１Ａは、放送局１０Ａ、放送局サーバ２０、広告主サーバ３０、テレビ受像機５０、及び携帯端末６０を有する。
【００３２】
放送局１０Ａは、テレビＣＭを含むテレビ番組を放送設備１１を介して放送する。ここでテレビ番組は、無線により放送されてもよく、有線により放送されてもよいが、以下の説明においては、放送局１０Ａは、地上デジタル放送方式に従ってテレビ番組を無線により放送するものとする。
【００３３】
放送局サーバ２０は、放送局１０Ａ（具体的には、放送事業者）によって運営される。広告主サーバ３０は、テレビＣＭを出稿する広告主（いわゆる、スポンサー）によって運営される。放送局サーバ２０及び広告主サーバ３０は、インターネット等の通信網４０に接続されている。
【００３４】
テレビ受像機５０は、放送されるテレビ番組を受信及び再生し、テレビ番組をテレビ画面上に表示する。図１の例では、テレビ受像機５０は、テレビ視聴者（不図示）の宅内に設置されている。なお、テレビ受像機５０は、テレビ番組を受信及び再生するチューナと、テレビ番組を表示する表示装置とが個別に設けられていてもよい。
【００３５】
携帯端末６０は、テレビ視聴者が所持するカメラ付きの無線通信端末である。携帯端末６０には、Ｗｅｂブラウザが搭載されている。携帯端末６０としては、携帯電話端末、ＰＨＳ端末、ＰＤＡ等が使用できるが、以下の説明においては、携帯端末６０は、カメラ付きの携帯電話端末であるものとする。携帯端末６０は、基地局４１及び通信網４０を介して、放送局サーバ２０及び広告主サーバ３０にアクセス可能である。
【００３６】
第１実施形態において、放送局１０Ａは、放送局サーバ２０のアドレス（具体的には、ＵＲＬ）とテレビＣＭを識別するＣＭ識別情報とを含んで構成される画像情報をテレビＣＭと共に放送する。画像情報としては、二次元コードの一種であるＱＲコードを使用するものとするが、ＱＲコードに限定されず、カラーコード等の他の画像情報を使用してもよい。
【００３７】
携帯端末６０は、テレビＣＭと共にテレビ画面上に表示されるＱＲコードを読み取り、ＱＲコードに含まれるＵＲＬに応じて放送局サーバ２０にアクセスする。
【００３８】
放送局サーバ２０は、テレビＣＭと広告主サーバとの対応付けを管理しており、携帯端末６０からのアクセスを受け付けた場合に当該アクセスに含まれるＣＭ識別情報に基づいて当該アクセスを広告主サーバ３０に転送する。
【００３９】
広告主サーバ３０は、放送局サーバ２０から転送されたアクセスを受け付けた場合に、テレビ視聴者に特典を与えるための特典情報を携帯端末６０に配信する。特典情報とは、例えば電子クーポンやポイント等であり、携帯端末６０を所持するテレビ視聴者によって利用される。また、広告主サーバ３０は、特典情報に加えて、広告主の広告に係る広告情報を携帯端末６０に配信してもよい。
【００４０】
（１．２）情報配信システムの詳細構成
次に、情報配信システム１Ａの詳細構成について、（１．２．１）放送局の構成、（１．２．２）放送局サーバの構成、（１．２．３）広告主サーバの構成の順に説明する。ただし、本発明に関連する構成を主に説明する。
【００４１】
（１．２．１）放送局の構成
放送局１０Ａは、１つ又は複数のコンピュータを用いて構成される。図２は、放送局１０Ａの構成を示す機能ブロック図である。図２に示すように、放送局１０Ａは、番組本編記憶部１０１、ＣＭ記憶部１０２、告知情報記憶部１０３、ＱＲコード記憶部１０４、及び番組編集・送出部１０５を有する。
【００４２】
番組本編記憶部１０１は、テレビ番組の本編区間（番組本編）を記憶する。ＣＭ記憶部１０２は、テレビ番組のＣＭ区間（テレビＣＭ）を記憶する。告知情報記憶部１０３は、ＱＲコードを放送する旨の情報を告知情報として記憶する。ＱＲコード記憶部１０４は、ＱＲコードを記憶する。
【００４３】
番組編集・送出部１０５は、番組本編とテレビＣＭとを含んで構成されるテレビ番組を編集する。番組編集・送出部１０５は、データ放送を利用してＱＲコードをテレビＣＭに多重させる。
【００４４】
ここで、テレビＣＭが表示される際のテレビＣＭ映像のアスペクト比が地上デジタル放送で規定されるテレビ画面のアスペクト比（１６：９）と異なるケースにおいては、番組編集・送出部１０５は、テレビ画面上でテレビＣＭ映像が表示されない領域でＱＲコードを表示させるようにＱＲコードを放送する。すなわち、番組編集・送出部１０５は、テレビＣＭ映像のアスペクト比が４：３であるとき、テレビ画面上でテレビＣＭ映像が表示されない左右の無画領域であるサイドパネル領域でＱＲコードを表示させるようにする。
【００４５】
番組編集・送出部１０５は、ＱＲコードの放送に先立ち、ＱＲコードを放送する旨の告知情報を放送する。ＱＲコードと同様に、データ放送を利用して告知情報を放送することができる。番組編集・送出部１０５は、番組本編に告知情報を多重してもよく、他の区間に告知情報を多重してもよい。
【００４６】
さらに、番組編集・送出部１０５は、テレビＣＭを含むテレビ番組の放送時間内に限りＱＲコードを表示させるようにＱＲコードを放送してもよい。例えば、番組編集・送出部１０５は、録画されたテレビ番組についてはＱＲコードを表示させないようにするコマンド（スクリプト）を多重することで、番組放送時間外ではＱＲコードを表示させないようにすることができる。
【００４７】
（１．２．２）放送局サーバの構成
放送局サーバ２０は、１つ又は複数のコンピュータを用いて構成される。図３は、放送局サーバ２０の構成を示す機能ブロック図である。図３に示すように、放送局サーバ２０は、通信部２０１、アクセス転送部２０２、及び対応情報記憶部２０３を有する。
【００４８】
通信部２０１は、通信網４０に接続されており、携帯端末６０からのアクセスを受け付ける。対応情報記憶部２０３は、ＣＭ識別情報と広告主サーバ３０との対応付けの情報を記憶している。
【００４９】
携帯端末６０からのアクセスは、ＱＲコード中のＣＭ識別情報を含んでいる。アクセス転送部２０２は、携帯端末６０からのアクセスに含まれるＣＭ識別情報に対応する広告主サーバ３０を特定し、当該アクセスを広告主サーバ３０に転送する。
【００５０】
アクセス転送部２０２は、番組放送時間内に限り携帯端末６０からのアクセスを広告主サーバ３０に転送してもよい。例えば、アクセス転送部２０２は、番組放送時間外においては携帯端末６０からのアクセスを広告主サーバ３０に転送しないようにする。
【００５１】
（１．２．３）広告主サーバの構成
広告主サーバ３０は、１つ又は複数のコンピュータを用いて構成される。図４は、広告主サーバ３０の構成を示す機能ブロック図である。図４に示すように、広告主サーバ３０は、通信部３０１、位置情報取得部３０２、配信部３０３、配信制御部３０４、特典情報記憶部３０５、及び広告情報記憶部３０６を有する。
【００５２】
通信部３０１は、通信網４０に接続されている。通信部３０１は、放送局サーバ２０から転送された、携帯端末６０からのアクセスを受け付ける。
【００５３】
位置情報取得部３０２は、通信部３０１がアクセスを受け付けた場合に、携帯端末６０の位置を示す位置情報を取得する。位置情報の取得方法としては、次の３つの方法がある。（ａ）携帯端末６０が位置登録する基地局４１に対応する位置情報をセンタ（不図示）から取得する方法。（ｂ）携帯端末６０にＧＰＳが搭載されている場合にはＧＰＳを利用して位置情報を取得する方法。（ｃ）携帯端末６０に対するユーザ入力により位置情報を取得する方法。以下の説明においては、位置情報取得部３０２が（ａ）の方法で位置情報を取得するものとする。
【００５４】
特典情報記憶部３０５は、位置情報と特典情報とを対応付けて記憶している。広告情報記憶部３０６は、位置情報と広告情報とを対応付けて記憶している。
【００５５】
配信制御部３０４は、位置情報取得部３０２によって取得された位置情報に対応する特典情報及び広告情報を特典情報記憶部３０５及び広告情報記憶部３０６からそれぞれ取得する。配信部３０３は、取得された特典情報及び広告情報を通信部３０１から携帯端末６０に配信する。
【００５６】
なお、配信制御部３０４は、番組放送時間内に限り特典情報及び広告情報を携帯端末６０に配信するように制御してもよい。例えば、配信制御部３０４は、番組放送時間外においては、放送局サーバ２０から転送された、携帯端末６０からのアクセスを拒否してもよく、番組放送時間外である旨のみを携帯端末６０に通知してもよい。
【００５７】
（１．３）情報配信システムの動作
次に、情報配信システム１Ａの動作例について、図５〜図７を参照しながら説明する。図５は、情報配信システム１Ａの動作を示すシーケンス図である。図６は、テレビ受像機５０の表示画面Ｄ１の一例を示す図である。図７は、携帯端末６０の表示画面Ｄ２の一例を示す図である。
【００５８】
ステップＳ１０１において、放送局１０Ａの番組編集・送出部１０５は、テレビ番組“Ｘ”の放送を開始する。
【００５９】
ステップＳ１０２において、放送局１０Ａの番組編集・送出部１０５は、例えばテレビ番組“Ｘ”の本編冒頭において、告知情報を多重して放送する。例えば告知情報は、図６（ａ）に示すように、ＱＲコードの読み取り準備を促す旨の文字列により構成される。
【００６０】
ステップＳ１０３において、放送局１０Ａの番組編集・送出部１０５は、テレビＣＭ“Ｙ”の区間において、放送局サーバ２０のＵＲＬと、テレビＣＭ“Ｙ”を識別するＣＭ識別情報とを含んで構成されるＱＲコード“Ｚ”を多重して放送する。具体的には、番組編集・送出部１０５は、地上デジタル放送方式におけるデータ放送を利用してＱＲコード“Ｚ”を放送する。
【００６１】
ステップＳ１０４において、テレビ受像機５０は、ＱＲコード“Ｚ”をテレビＣＭ“Ｙ”と共に表示する。例えばＱＲコードは、図６（ｂ）に示すように、テレビ受像機５０の表示画面Ｄ１におけるサイドパネル領域に表示される。
【００６２】
ステップＳ１０５において、携帯端末６０は、携帯端末６０に搭載されたカメラから表示画面Ｄ１上のＱＲコードを読み取る。例えばテレビ視聴者は、図７（ａ）に示すように、携帯端末６０のバーコードリーダ機能を利用してＱＲコードを読み取り、放送局サーバ２０のＵＲＬに変換する。
【００６３】
ステップＳ１０６において、携帯端末６０は、放送局サーバ２０にアクセスする。当該アクセスは、テレビＣＭ“Ｙ”を識別するＣＭ識別情報を含む。
【００６４】
ステップＳ１０７及びＳ１０８において、放送局サーバ２０のアクセス転送部２０２は、当該アクセスに含まれるＣＭ識別情報に対応する広告主サーバ３０を特定し、当該アクセスを広告主サーバ３０に転送する。ここで広告主サーバ３０は、テレビＣＭ“Ｙ”を出稿した広告主のサーバである。
【００６５】
ステップＳ１０９において、広告主サーバ３０の位置情報取得部３０２は、携帯端末６０の位置情報を取得する。その際、図７（ｂ）に示すように、携帯端末６０には、位置情報を広告主サーバ３０に提供してよいか否かをテレビ視聴者に問合わせる画面が表示されてもよい。
【００６６】
ステップＳ１１０において、広告主サーバ３０の配信制御部３０４は、位置情報取得部３０２が取得した位置情報に対応する特典情報及び広告情報を特典情報記憶部３０５及び広告情報記憶部３０６からそれぞれ取得する。そして、配信部３０３は、配信制御部３０４が取得した特典情報及び広告情報を携帯端末６０に配信する。
【００６７】
ステップＳ１１１において、携帯端末６０は、広告主サーバ３０から配信された特典情報及び広告情報を表示及び記憶する。例えば、携帯端末６０は、図７（ｃ）に示すように、取得された特典情報（図ではポイントを例示）と、テレビＣＭ“Ｙ”を出稿した広告主の近隣の店舗の広告情報とを表示する。
【００６８】
なお、タイムシフト視聴対策として、ステップＳ１０３において、放送局１０Ａの番組編集・送出部１０５は、録画されたテレビ番組についてはＱＲコードを表示させないようにするコマンド（スクリプト）を多重してもよい。
【００６９】
また、タイムシフト視聴対策として、ステップＳ１０７において、放送局サーバ２０のアクセス転送部２０２は、テレビ番組“Ｘ”の放送時間外では、携帯端末６０からのアクセスを広告主サーバ３０に転送しないようにしてもよい。
【００７０】
さらに、タイムシフト視聴対策として、ステップＳ１０９、Ｓ１１０において、広告主サーバ３０の配信制御部３０４は、テレビ番組“Ｘ”の放送時間外では、特典情報を携帯端末６０に配信しないようにしてもよい。
【００７１】
（１．４）第１実施形態の効果
第１実施形態に係る情報配信システム１Ａによれば、テレビ視聴者は、所望の特典情報を取得して直接的な利益を得ることが可能になるため、テレビＣＭを積極的にテレビ視聴者に視聴させることができ、テレビＣＭの広告効果を高めることができる。
【００７２】
また、第１実施形態に係る情報配信システム１Ａによれば、特典情報の取得を望むテレビ視聴者は、当該番組コンテンツをタイムシフト視聴ではなくリアルタイム視聴する必要があるため、リアルタイム視聴によってＣＭが視聴され易くなり、テレビＣＭの広告効果をさらに高めることができる。
【００７３】
第１実施形態に係る情報配信システム１Ａによれば、携帯端末６０の位置に応じた特典情報を配信できるため、テレビ視聴者に適した特典情報（例えば、周辺地域の店舗に関する特典情報）を配信可能になり、テレビ視聴者の利便性を向上させることができる。また、携帯端末６０の位置に応じた広告情報を配信できるため、テレビ視聴者に適した広告情報（例えば、周辺地域の店舗に関する広告情報）を配信でき、広告効果を向上させることができる。
【００７４】
第１実施形態に係る情報配信システム１Ａによれば、表示画面を無駄に占有しているサイドパネル領域を有効活用し、ＣＭ映像に悪影響を与えることなくＱＲコードを表示可能になる。特に、地上デジタル放送のアスペクト比に対し、ＣＭ映像のアスペクト比が異なっていることが多いため、地上デジタル放送のアスペクト比を活かすことで、地上デジタル放送の普及促進に寄与することができる。
【００７５】
第１実施形態に係る情報配信システム１Ａによれば、告知情報を事前に放送するため、テレビ視聴者は、ＱＲコードを携帯端末６０により読み込むための準備を行うことができる。
【００７６】
第１実施形態に係る情報配信システム１Ａによれば、放送局１０Ａは、データ放送を利用してＱＲコードを放送するため、テレビＣＭに予めＱＲコードを組み込んでおく必要がなく、ＱＲコードの変更等にも即座に対応可能になる。
【００７７】
（２）第２実施形態
次に、本発明の第２実施形態に係る情報配信システムについて説明する。上述した第１実施形態では、情報配信に係る一連の処理を放送局（放送事業者）側で制御する実施形態であったが、第２実施形態は、広告主が主導して情報配信を行う実施形態である。
【００７８】
第２実施形態においては、第１実施形態と異なる点を主に説明し、第１実施形態と重複する説明は省略する。
【００７９】
図８は、第２実施形態に係る情報配信システム１Ｂの概略構成図である。図８に示すように、情報配信システム１Ｂは、第１実施形態で説明した放送局サーバ２０を有していない。
【００８０】
第２実施形態では、放送局１０Ｂは、ＱＲコードが予め付加されたテレビＣＭを放送する。すなわち、放送局１０ＡでＱＲコードをテレビＣＭを多重するのではなく、放送局１０ＡにテレビＣＭが供給される時点で既にＱＲコードが付加されている。当該ＱＲコードは、広告主サーバ３０のアドレスを含んで構成されている。
【００８１】
携帯端末６０は、テレビＣＭと共にテレビ画面上に表示されるＱＲコードを読み取り、ＱＲコードに含まれるアドレスに応じて広告主サーバ３０にアクセスする。広告主サーバ３０は、携帯端末６０からのアクセスを受け付けた場合に、テレビ視聴者に特典を与えるための特典情報を携帯端末６０に配信する。
【００８２】
図９は、第２実施形態に係る放送局１０Ｂの構成を示すブロック図である。図９に示すように、放送局１０Ｂは、第１実施形態で説明したＱＲコード記憶部１０４を有していない。代わりに、ＣＭ記憶部１０２は、ＱＲコードが予め付加されたテレビＣＭを記憶している。番組編集・送出部１０５は、番組本編とテレビＣＭとを含んで構成されるテレビ番組を編集する。番組編集・送出部１０５は、ＱＲコードの放送に先立ち、ＱＲコードを放送する旨の告知情報を放送してもよい。
【００８３】
図１０は、第２実施形態に係る情報配信システム１Ｂの動作例を示すシーケンス図である。
【００８４】
ステップＳ２０１において、放送局１０Ａの番組編集・送出部１０５は、テレビ番組“Ｘ”の放送を開始する。
【００８５】
ステップＳ２０２において、放送局１０Ａの番組編集・送出部１０５は、例えばテレビ番組“Ｘ”の本編冒頭において、告知情報を多重して放送する。例えば告知情報は、図６（ａ）に示したように、ＱＲコードの読み取り準備を促す旨の文字列により構成される。
【００８６】
ステップＳ２０３において、放送局１０Ａの番組編集・送出部１０５は、テレビＣＭ“Ｙ”を出稿した広告主によって運営される広告主サーバ３０のＵＲＬを含んで構成されるＱＲコード“Ｚ”が付加されたテレビＣＭ“Ｙ”を放送する。
【００８７】
ステップＳ２０４において、テレビ受像機５０は、ＱＲコード“Ｚ”をテレビＣＭ“Ｙ”と共に表示する。ＱＲコードは、図６（ｂ）に示したようにテレビ受像機５０の表示画面Ｄ１におけるサイドパネル領域内に表示されてもよく、ＣＭ映像領域中に表示されてもよい。
【００８８】
ステップＳ２０５において、携帯端末６０は、携帯端末６０に搭載されたカメラから表示画面Ｄ１上のＱＲコードを読み取る。例えばテレビ視聴者は、図７（ａ）に示したように、携帯端末６０のバーコードリーダ機能を利用してＱＲコードを読み取り、広告主サーバ３０のＵＲＬに変換する。
【００８９】
ステップＳ２０６において、携帯端末６０は、広告主サーバ３０にアクセスする。
【００９０】
ステップＳ２０７において、広告主サーバ３０の位置情報取得部３０２は、携帯端末６０の位置情報を取得する。その際、図７（ｂ）に示したように、携帯端末６０には、位置情報を広告主サーバ３０に提供してよいか否かをテレビ視聴者に問合わせる画面が表示されてもよい。
【００９１】
ステップＳ２０８において、広告主サーバ３０の配信制御部３０４は、位置情報取得部３０２が取得した位置情報に対応する特典情報及び広告情報を特典情報記憶部３０５及び広告情報記憶部３０６からそれぞれ取得する。そして、配信部３０３は、配信制御部３０４が取得した特典情報及び広告情報を携帯端末６０に配信する。
【００９２】
ステップＳ２０９において、携帯端末６０は、広告主サーバ３０から配信された特典情報及び広告情報を表示及び記憶する。例えば、携帯端末６０は、図７（ｃ）に示したように、取得された特典情報（図ではポイントを例示）と、テレビＣＭ“Ｙ”を出稿した広告主の近隣の店舗の広告情報とを表示する。
【００９３】
なお、タイムシフト視聴対策として、ステップＳ２０７、Ｓ２０８において、広告主サーバ３０の配信制御部３０４は、テレビ番組“Ｘ”の放送時間外では、特典情報を携帯端末６０に配信しないようにしてもよい。
【００９４】
このように、第２実施形態によれば、広告主が主導して情報配信を行うことで、第１実施形態と比較して放送局１０Ａの負荷を削減できる。
【００９５】
（３）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９６】
例えば、上述した第１実施形態及び第２実施形態は、別個独立に実施する場合に限らず、適宜組み合わせて実施してもよい。
【００９７】
上述した第１実施形態においては、データ放送を利用してＱＲコードをテレビＣＭに付加するケースを例示したが、データ放送以外の手法でＱＲコードをテレビＣＭに付加してもよい。例えば、放送局１０Ａの番組編集・送出部１０５は、ＱＲコードをテロップ画像としてテレビＣＭに付加してもよい。この場合、テレビＣＭの画像信号にＱＲコードの画像信号が多重されて放送されることになる。ＱＲコードをテロップ画像としてテレビＣＭに付加する手法によれば、データ放送以外を利用する手法と比較して、テレビＣＭの時間帯において高精度にＱＲコードを放送できる。
【００９８】
上述した第１実施形態及び第２実施形態では、地上デジタル放送方式に従ってテレビ番組を放送するケースを例示したが、ＢＳデジタル放送方式等の他の放送方式に従ってテレビ番組を放送するケースについても本発明を適用可能である。
【００９９】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１００】
１Ａ，１Ｂ…情報配信システム、１０Ａ，１０Ｂ…放送局、１１…放送設備、２０…放送局サーバ、３０…広告主サーバ、４０…通信網、４１…基地局、５０…テレビ受像機、６０…携帯端末、１０１…番組本編記憶部、１０２…ＣＭ記憶部、１０３…告知情報記憶部、１０４…ＱＲコード記憶部、１０５…番組編集・送出部、２０１…通信部、２０２…アクセス転送部、２０３…対応情報記憶部、３０１…通信部、３０２…位置情報取得部、３０３…配信部、３０４…配信制御部、３０５…特典情報記憶部、３０６…広告情報記憶部
【図１】
2011101307.tif 000003
【図２】
2011101307.tif 000004
【図３】
2011101307.tif 000005
【図４】
2011101307.tif 000006
【図５】
2011101307.tif 000007
【図６】
2011101307.tif 000008
【図７】
2011101307.tif 000009
【図８】
2011101307.tif 000010
【図９】
2011101307.tif 000011
【図１０】
2011101307.tif 000012